(57)【要約】【課題】記録媒体や電池を効率的に使用しつつ、予め指定された位置を含む領域内での被写体の撮り逃しの発生確率を低減することである。【解決手段】撮影装置２は、撮影間隔を変更可能に被写体を撮影する撮像部２０４等と、指定された位置情報と撮影間隔とを対応付けて記憶する記録媒体Ｍと、現在の位置情報を取得するＧＰＳ部２０８と、前記取得された位置情報が前記記憶された位置情報を含む領域内にあるか否かを判定し、領域内にあると判定された場合に、前記指定された位置情報に対応する撮影間隔を設定して撮像部２０４等に撮影させる中央制御部２０１と、を備える。【選択図】図３
2014187518.tif 000002
【特許請求の範囲】
【請求項１】
撮影間隔を変更可能に被写体を撮影する撮影手段と、
指定された位置情報と撮影間隔とを対応付けて記憶する記憶手段と、
現在の位置情報を取得する位置情報取得手段と、
前記取得された位置情報が前記記憶された位置情報を含む領域内にあるか否かを判定する位置情報判定手段と、
前記記憶された位置情報を含む領域内にあると判定された場合に、当該記憶された位置情報に対応する撮影間隔を設定して前記撮影手段に撮影させる撮影制御手段と、を備える撮影装置。
【請求項２】
現在の日時情報を取得する日時情報取得手段を備え、
前記記憶手段は、指定された位置情報及び日時情報と撮影間隔とを対応付けて記憶し、
前記位置情報判定手段は、前記取得された日時情報が前記記憶された日時情報であり、且つ前記取得された位置情報が前記記憶された位置情報を含む領域内にあるか否かを判定する請求項１に記載の撮影装置。
【請求項３】
前記位置情報は、緯度経度情報と、高度情報との少なくとも１つを含む請求項１又は２に記載の撮影装置。
【請求項４】
前記取得された位置情報が前記記憶された位置情報を含む領域内にあると判定された場合に、当該位置情報を含む領域内で手動撮影を行ったか否かを判定する手動撮影判定手段を備え、
前記撮影制御手段は、前記位置情報を含む領域内で手動撮影を行ったと判定された場合に、通常撮影における撮影間隔に設定して前記撮影手段に撮影させる請求項１から３のいずれか一項に記載の撮影装置。
【請求項５】
前記記憶手段は、指定された位置情報と、指定された撮影間隔とを対応付けて複数記憶し、
前記撮影制御手段は、前記位置情報取得手段で取得された位置情報が前記記憶された位置情報を含む領域内にないと判定された場合に、撮影間隔を当該記憶された位置情報に対応する撮影間隔よりも長く設定して前記撮影手段に撮影させる請求項１から４のいずれか一項に記載の撮影装置。
【請求項６】
指定された位置情報と撮影間隔とを対応付けて記憶する工程と、
現在の位置情報を取得する工程と、
前記取得された位置情報が前記記憶された位置情報を含む領域内にあるか否かを判定する工程と、
前記記憶された位置情報を含む領域内にあると判定された場合に、当該記憶された位置情報に対応する撮影間隔を設定して、被写体を撮影する撮影手段に撮影させる工程と、を含む撮影方法。
【請求項７】
コンピュータを、
撮影間隔を変更可能に被写体を撮影する撮影手段、
指定された位置情報と撮影間隔とを対応付けて記憶する記憶手段、
現在の位置情報を取得する位置情報取得手段、
前記取得された位置情報が前記記憶された位置情報を含む領域内にあるか否かを判定する位置情報判定手段、
前記記憶された位置情報を含む領域内にあると判定された場合に、当該記憶された位置情報に対応する撮影間隔を設定して前記撮影手段に撮影させる撮影制御手段、
として機能させるためのプログラム。
【発明の詳細な説明】
【技術分野】
【０００１】
本発明は、撮影装置、撮影方法及びプログラムに関する。
【背景技術】
【０００２】
従来、一定の撮影間隔で低速度の撮影を行うインターバル撮影が可能なデジタルカメラが知られている。
【０００３】
また、撮影地点を特定するための位置情報と撮影条件とを予めカメラに設定しておくことで、カメラが撮影地点に到達すると、設定した撮影条件で撮影を行うカメラシステムが知られている（例えば、特許文献１参照）。
【先行技術文献】
【特許文献】
【０００４】
【特許文献１】特開２００１−２５７９２０号公報
【発明の概要】
【発明が解決しようとする課題】
【０００５】
しかし、常に一定の長い撮影間隔のインターバル撮影においては、例えば特定の撮影位置において、被写体の撮り逃しが発生するおそれがあった。また、上記撮影地点のみで撮影条件を設定するカメラでは、一律に撮影間隔を短くしてしまうと、重要でない撮影地点での撮影がかさんで記録媒体や電池を不要に消費してしまうおそれがあった。
【０００６】
本発明の課題は、記録媒体や電池を効率的に使用しつつ、予め指定された位置を含む領域内での被写体の撮り逃しの発生確率を低減することである。
【課題を解決するための手段】
【０００７】
上記課題を解決するために、本発明の撮影装置は、撮影間隔を変更可能に被写体を撮影する撮影手段と、指定された位置情報と撮影間隔とを対応付けて記憶する記憶手段と、現在の位置情報を取得する位置情報取得手段と、前記取得された位置情報が前記記憶された位置情報を含む領域内にあるか否かを判定する位置情報判定手段と、前記記憶された位置情報を含む領域内にあると判定された場合に、当該記憶された位置情報に対応する撮影間隔を設定して前記撮影手段に撮影させる撮影制御手段と、を備える。
【発明の効果】
【０００８】
本発明によれば、記録媒体や電池を効率的に使用しつつ、予め指定された位置を含む領域内での被写体の撮り逃しの発生確率を低減できる。
【図面の簡単な説明】
【０００９】
【図１】本発明の実施の形態の撮影システムの概略構成を示す図である。
【図２】ＰＣの機能構成を示すブロック図である。
【図３】撮影装置の機能構成を示すブロック図である。
【図４】設定情報の構成を示す図である。
【図５】緯度経度情報及び日時情報に応じた撮影間隔の設定の一例を示す図である。
【図６】高度情報及び日時情報に応じた撮影間隔の設定の一例を示す図である。
【図７】ＰＣにより実行されるインターバル撮影設定入力処理と、撮影装置により実行されるインターバル撮影設定処理と、を示すフローチャートである。
【図８】撮影装置により実行されるインターバル撮影処理を示すフローチャートである。
【発明を実施するための形態】
【００１０】
以下、添付図面を参照して本発明に係る実施の形態を詳細に説明する。なお、本発明は、図示例に限定されるものではない。
【００１１】
図１〜図３を参照して、本実施の形態の装置構成を説明する。先ず、図１を参照して、本実施の形態の撮影システム１００を説明する。図１は、撮影システム１００の概略構成を示す図である。
【００１２】
図１に示すように、撮影システム１００は、ＰＣ（Personal Computer）１と、撮影装置２と、を備える。ＰＣ１は、撮影装置２における撮影間隔等の撮影条件の設定装置である。ＰＣ１は、撮影装置２と無線通信回線を介して情報通信可能に接続される。撮影装置２は、インターバル撮影が可能なデジタルカメラである。撮影装置２は、ハイキング（登山）における撮影のため、ユーザにより所持され移動される。本実施の形態では、撮影装置２がハイキングでの撮影に使用される例を説明するが、これに限定されるものではなく、ツーリング、サイクリング、小旅行等での撮影に使用されることとしてもよい。また、撮影装置２が、ユーザのヘルメットや、オートバイ等に取り付け可能であるものとしたり、ユーザの自動車等に搭載されたドライブレコーダとして機能する構成としてもよい。
【００１３】
次いで、図２を参照して、ＰＣ１の内部の機能構成を説明する。図２は、ＰＣ１の機能構成を示すブロック図である。
【００１４】
図２に示すように、ＰＣ１は、ＣＰＵ（Central Processing Unit）１１と、操作部１２と、ＲＡＭ（Random Access Memory）１３と、表示部１４と、記憶部１５と、通信部１６と、を備える。ＰＣ１の各部は、バス１７を介して互いに接続されている。
【００１５】
ＣＰＵ１１は、ＰＣ１の各部を制御する。ＣＰＵ１１は、各種プログラムのうち指定されたプログラムを記憶部１５から読み出してＲＡＭ１３に展開し、展開されたプログラムとの協働で各種処理を実行する。
【００１６】
操作部１２は、各種文字等の入力用のキーを有するキーボードを備え、各キー入力に応じた操作情報をＣＰＵ１１に出力する。操作部１２は、表示部１４の表示パネル上に設けられたタッチパネルを有し、そのタッチ入力に応じた操作情報をＣＰＵ１１に出力することとしてもよい。
【００１７】
ＲＡＭ１３は、揮発性の半導体メモリ等の記憶部であり、各種データ及び各種プログラムを格納するワークエリアを有する。
【００１８】
表示部１４は、ＬＣＤ（Liquid Crystal Display）、ＥＬ（ElectroLuminescent）ディスプレイ等の表示パネルを備える表示部であり、ＣＰＵ１１から入力される表示情報に応じて表示パネルに各種表示を行う。
【００１９】
記憶部１５は、各種データ及び各種プログラムの情報を読み出し及び書き込み可能に記憶する記憶部であり、ＨＤＤ（Hard Disk Drive）等で構成されている。記憶部１５は、後述するインターバル撮影設定入力プログラム（図示略）と、設定情報３０と、を記憶する。
【００２０】
通信部１６は、ブルートゥース（Bluetooth：登録商標）の通信方式により撮影装置２等の外部機器と無線通信を行う通信部である。通信部１６は、ＢＴモジュール（図示略）を具備し、このＢＴモジュールが、撮影装置２の無線処理部２０３のＢＴモジュール２０３ａ（後述）との間でブルートゥース規格に従った無線通信を行う。即ち、通信部１６のＢＴモジュールは、予めペアリングと呼ばれる通信設定処理を行うことで、互いのデバイス情報や認証鍵のデータが無線信号により通信相手（撮影装置２等）と交換され、その後、当該通信設定処理を毎回行うことなく、この通信相手と自動的に或いは半自動的に接続されたり接続が解除されるようになっている。なお、通信部１６は、無線ＬＡＮ（Local Area Network）通信、有線のケーブル接続による有線通信等、他の通信方式の通信を行う構成とし、当該他の通信方式で撮影装置２と通信を行う構成としてもよい。
【００２１】
次いで、図３を参照して、撮影装置２の内部の機能構成を説明する。図３は、撮影装置２の機能構成を示すブロック図である。
【００２２】
図３に示すように、撮影装置２は、位置情報判定手段、撮影制御手段、手動撮影判定手段としての中央制御部２０１と、メモリ２０２と、無線処理部２０３と、撮像部２０４と、画像データ処理部２０５と、記録媒体制御部２０６と、日時情報取得手段としての計時部２０７と、位置情報取得手段としてのＧＰＳ（Global Positioning System）部２０８と、表示部２０９と、操作入力部２１０と、を備える。また、中央制御部２０１、メモリ２０２、無線処理部２０３、撮像部２０４、画像データ処理部２０５、記録媒体制御部２０６、計時部２０７、ＧＰＳ部２０８及び表示部２０９は、バスライン２１１を介して接続されている。
【００２３】
中央制御部２０１は、撮影装置２の各部を制御するものである。具体的には、中央制御部２０１は、例えば、図示は省略するが、ＣＰＵ、ＲＡＭ、ＲＯＭを備え、ＲＯＭに記憶された撮影装置２用の各種処理プログラム（図示略）に従って各種の制御動作を行う。ＣＰＵがＲＯＭから各種プログラムを読み出してＲＡＭに展開し、展開したプログラムとＣＰＵとの協働により、中央制御部２０１は、各種処理を行う。その際に、ＣＰＵは、ＲＡＭ内の格納領域内に各種処理結果を格納させ、必要に応じてその処理結果を表示部２０９に表示させる。
【００２４】
ＲＡＭは、ＣＰＵにより実行される処理プログラム等を展開するためのプログラム格納領域や、入力データや上記処理プログラムが実行される際に生じる処理結果等を格納するデータ格納領域などを備える。ＲＯＭは、コンピュータ読み取り可能なプログラムコードの形態で格納されたプログラム、具体的には、撮影装置２で実行可能なシステムプログラム、当該システムプログラムで実行可能な各種処理プログラムや、これら各種処理プログラムを実行する際に使用されるデータ等を記憶する。ＲＯＭには、少なくとも後述するインターバル撮影設定プログラム、インターバル撮影プログラムが記憶されているものとする。
【００２５】
メモリ２０２は、例えば、ＤＲＡＭ等により構成され、中央制御部２０１等によって処理されるデータ等を一時記憶する。
【００２６】
無線処理部２０３は、所定の無線通信回線を介して接続されたＰＣ１との間で無線通信を行う。具体的には、無線処理部２０３は、例えば、ブルートゥースモジュール（ＢＴモジュール）２０３ａを具備している。
【００２７】
ＢＴモジュール２０３ａは、例えば、ＰＣ１の通信部１６のＢＴモジュール（図示略）と略同様に、ＰＣ１の通信部１６との間でブルートゥース規格に従った無線通信を行う。
【００２８】
撮像部２０４は、被写体を撮像する撮像手段を構成している。具体的には、撮像部２０４は、レンズ部２０４ａと、電子撮像部２０４ｂと、撮像制御部２０４ｃとを備えている。
【００２９】
レンズ部２０４ａは、例えば、ズームレンズやフォーカスレンズ等の複数のレンズから構成されている。電子撮像部２０４ｂは、例えば、ＣＣＤ（Charge Coupled Device）やＣＭＯＳ（Complementary Metal-oxide Semiconductor）等のイメージセンサから構成され、レンズ部２０４ａの各種レンズを通過した光学像を二次元の画像信号に変換する。なお、図示は省略するが、撮像部２０４は、レンズ部２０４ａを通過する光の量を調整する絞りを備えていても良い。
【００３０】
撮像制御部２０４ｃは、電子撮像部２０４ｂによる被写体の撮像を制御する。即ち、撮像制御部２０４ｃは、図示は省略するが、タイミング発生器、ドライバなどを備えている。そして、撮像制御部２０４ｃは、タイミング発生器、ドライバにより電子撮像部２０４ｂを走査駆動し、所定周期毎にレンズ部２０４ａにより結像された光学像を電子撮像部２０４ｂにより二次元の画像信号に変換させる。そして、撮像制御部２０４ｃは、当該電子撮像部２０４ｂの撮像領域から１画面分ずつフレーム画像を読み出して画像データ処理部２０５に出力させる。
【００３１】
画像データ処理部２０５は、被写体の画像データを生成する。即ち、画像データ処理部２０５は、撮像部２０４により撮像されるフレーム画像を逐次処理する。具体的には、画像データ処理部２０５は、電子撮像部２０４ｂから撮影間隔に応じた所定の周期毎に転送された各フレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。このように、撮像部２０４、画像データ処理部２０５は、撮影手段として機能し、設定される撮影間隔に応じて撮影を行いフレーム画像を生成可能である。
【００３２】
また、画像データ処理部２０５は、各フレーム画像のＹＵＶデータを所定の符号化方式（例えば、ＪＰＥＧ形式等）に従って圧縮して、記録媒体制御部２０６に出力する。
【００３３】
記録媒体制御部２０６は、記憶手段としての記録媒体Ｍが着脱自在に構成され、装着された記録媒体Ｍからのデータの読み出しや記録媒体Ｍに対するデータの書き込みを制御する。即ち、記録媒体制御部２０６は、画像データ処理部２０５の符号化部（図示略）により所定の圧縮形式（例えば、ＪＰＥＧ形式、モーションＪＰＥＧ形式、ＭＰＥＧ形式等）で符号化された記録用の各フレーム画像の画像データを記録媒体Ｍの所定の記録領域に記録させる。なお、記録媒体Ｍは、例えば、不揮発性メモリ（フラッシュメモリ）等により構成されている。
【００３４】
計時部２０７は、図示は省略するが、例えば、計時回路等を備えて構成され、現在の日にち及び時刻を計時して日時情報を生成し中央制御部２０１に出力する。
【００３５】
ＧＰＳ部２０８は、アンテナを有し、当該アンテナによりＧＰＳ衛星からＧＰＳ信号を受信し、受信したＧＰＳ信号を用いて撮影装置２の現在の緯度経度情報及び高度情報を算出して中央制御部２０１に出力する。３つのＧＰＳ衛星からの３つのＧＰＳ信号を用いることで緯度経度情報を算出することが可能であるが、ＧＰＳ部２０８は、４つのＧＰＳ衛星からの４つのＧＰＳ信号を受信して用いることで、緯度経度情報に加えて高度情報をも算出可能としている。また、計時部２０７は、ＧＰＳ信号を受信し、ＧＰＳ信号中の時刻の情報を用いることで日時情報を計時することとしてもよい。
【００３６】
表示部２０９は、表示パネル２０９ａと、表示制御部２０９ｂとを具備している。表示パネル２０９ａは、表示画面内に画像を表示する。なお、表示パネル２０９ａとしては、例えば、液晶表示パネルや有機ＥＬ表示パネルなどが挙げられるが、一例であってこれらに限られるものではない。
【００３７】
表示制御部２０９ｂは、メモリ２０２に一時的に格納されている表示用の画像データを読み出して、画像データ処理部２０５により復号された所定サイズの画像データに基づいて、所定の画像を表示パネル２０９ａの表示画面に表示させる制御を行う。具体的には、表示制御部２０９ｂは、ＶＲＡＭ（Video Random Access Memory）、ＶＲＡＭコントローラ、デジタルビデオエンコーダなど（何れも図示略）を備えている。そして、デジタルビデオエンコーダは、画像データ処理部２０５により復号されてＶＲＡＭに記憶されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示パネル２０９ａに出力する。
【００３８】
操作入力部２１０は、当該撮影装置２の所定操作を行うためのものであり、例えば、装置本体の電源のＯＮ／ＯＦＦに係る電源ボタン、被写体の撮像指示に係るシャッタボタン、撮像モードや機能等の選択指示に係る選択決定ボタン、ズーム量の調整指示に係るズームボタン（何れも図示略）等を備えている。そして、操作入力部２１０は、各ボタンの操作に応じて所定の操作信号を中央制御部２０１に出力する。
【００３９】
次いで、図４〜図６を参照して、設定情報３０の構成を説明する。図４は、設定情報３０の構成を示す図である。図５は、緯度経度情報及び日時情報に応じた撮影間隔の設定の一例を示す図である。図６は、高度情報及び日時情報に応じた撮影間隔の設定の一例を示す図である。
【００４０】
設定情報３０は、インターバル撮影における撮影間隔のレベルを設定するテーブルである。図４に示すように、設定情報３０は、緯度経度情報３１と、高度情報３２と、日時情報３３と、レベル３４と、の項目を有する。
【００４１】
緯度経度情報３１は、指定位置における緯度経度を示す情報である。緯度経度情報３１は、指定領域の緯度経度の範囲を示す情報としてもよい。
【００４２】
高度情報３２は、指定位置における高度を示す情報である。高度情報３２は、指定位置の高度の範囲を示す情報としてもよい。
【００４３】
日時情報３３は、指定日時を示す情報である。日時情報３３は、日時に加えて、年、月の情報を含んでもよい。また、日時情報３３は、指定日時の範囲を示す情報としてもよい。
【００４４】
レベル３４は、緯度経度情報３１及び高度情報３２に対応する撮影位置と、日時情報３３と、に対応するインターバル撮影での撮影間隔のレベルを示す情報である。レベル３４は、一例として、レベル１：撮影間隔５［sec］、レベル２：撮影間隔１０［sec］、レベル３：撮影間隔３０［sec］、レベル０：撮影間隔１［min］、の４段階が予め規定されているものとする。レベル０は、通常の撮影間隔である。被写体の取り逃がしをより防ぎたい場合に、より撮影間隔が短いレベルが設定される。
【００４５】
緯度経度情報３１、高度情報３２及び日時情報３３には、撮影間隔を短くするのが好ましい指定位置及び日時の設定が行われ、そのレコードのレベル３４に、レベル１〜３の値が設定されるものとする。つまり、設定情報３０では、レベル０が設定されない。設定情報３０で設定されていない位置及び日時では、レベル０に設定されているものとする。
【００４６】
また、設定情報３０の各レコードでは、緯度経度情報３１、高度情報３２、日時情報３３の少なくとも１つ（複数の場合はＡＮＤ条件）と、レベル３４と、が設定されていればよい。なお、緯度経度情報３１、高度情報３２、日時情報３３の少なくとも２つについて、ＯＲ条件で設定可能である構成としてもよい。
【００４７】
ここで、設定情報３０の設定例を説明する。図５に示すように、地図平面上で、始点（ＳＴＡＲＴ）と、終点（ＥＮＤ）と、が設定された移動経路上を、インターバル撮影をしながらユーザが移動するケースを考える。移動経路上で、レベル１〜３の指定位置と、その撮影の対象の月と、が示されている。ＡＬＬは、全ての月を示す。設定情報３０では、緯度経度情報３１、日時情報３３及びレベル３４が設定される。緯度経度情報３１では、図５の各円の中心点が設定されるが、その中心点から所定半径の円内が指定位置を含む領域とされる。図５の各円に、対応する月に、ユーザが入った場合に、対応するレベル１〜３でインターバル撮影がなされる。図５の全ての円以外の領域では、レベル０でインターバル撮影がなされる。
【００４８】
また、設定情報３０の設定の別例を説明する。図６に示すように、縦軸に高度をとり、横軸に水平方向の位置をとった平面において、始点（ＳＴＡＲＴ）と、終点（ＥＮＤ）と、が設定された移動経路上を、インターバル撮影をしながらユーザが移動するケースを考える。移動経路上で、レベル１〜３の指定位置と、その撮影の対象の月と、が示されている。設定情報３０では、高度情報３２、日時情報３３及びレベル３４が設定される。高度情報３２では、図６の各矢印の高度が設定されるが、その高度から所定高度の範囲が指定位置を含む領域とされる。図６の各矢印の高度の範囲に、対応する月に、ユーザが入った場合に、対応するレベル１〜３でインターバル撮影がなされる。図６の全ての矢印の高度の範囲以外では、レベル０でインターバル撮影がなされる。
【００４９】
次に、図７及び図８を参照して、撮影システム１００の動作を説明する。図７は、ＰＣ１により実行されるインターバル撮影設定入力処理と、撮影装置２により実行されるインターバル撮影設定処理と、を示すフローチャートである。図８は、撮影装置２により実行されるインターバル撮影処理を示すフローチャートである。
【００５０】
図７を参照して、ＰＣ１により実行されるインターバル撮影設定入力処理と、撮影装置２により実行されるインターバル撮影設定処理と、を説明する。先ず、インターバル撮影設定入力処理を説明する。インターバル撮影設定入力処理は、ユーザがインターバル撮影を行うハイキングに出かける前に、予め設定情報３０を作成し撮影装置２に送信する処理である。
【００５１】
ＰＣ１において、例えば操作部１２を介してユーザからインターバル撮影設定入力処理の実行指示が入力されたことをトリガとして、ＣＰＵ１１は、記憶部１５から読み出され適宜ＲＡＭ１２に展開したインターバル撮影設定入力プログラムとの協働で、インターバル撮影設定入力処理を実行する。
【００５２】
先ず、ＣＰＵ１１は、操作部１２により、ユーザからの、通常撮影における撮影間隔とは異なる撮影間隔のインターバル撮影を行う指定位置（緯度経度、高度）及び指定日時の情報の入力を受付ける（ステップＳ１１）。ステップＳ１１で、指定日時の入力がない場合は、日時情報の指定がなされない。
【００５３】
そして、ＣＰＵ１１は、操作部１２により、ユーザからの、ステップＳ１１で入力された指定位置（緯度経度、高度）、指定日時の情報に対応する撮影間隔のレベルの入力を受け付ける（ステップＳ１２）。ステップＳ１２では、レベル１〜３の入力がなされる。
【００５４】
そして、ＣＰＵ１１は、ステップＳ１１で入力された指定緯度経度、指定高度、指定日時の情報と、ステップＳ１２で入力されたレベルと、に基づく設定情報３０の作成又はそのレコード追加を行う（ステップＳ１３）。ステップＳ１３では、入力された指定緯度経度、指定高度、指定日時、レベルが、緯度経度情報３１、高度情報３２、日時情報３３、レベル３４となるレコードを有する設定情報３０の作成、又は既存の設定情報３０への当該レコードの追加がなされる。
【００５５】
そして、ＣＰＵ１１は、操作部１２を介するユーザからの撮影位置情報等の入力終了の入力有無に応じて、設定入力を終了するか否かを判定する（ステップＳ１４）。設定入力を終了しない場合（ステップＳ１４；ＮＯ）、ステップＳ１１に移行される。
【００５６】
設定入力を終了する場合（ステップＳ１４；ＹＥＳ）、ＣＰＵ１１は、ステップＳ１３で作成された設定情報３０を記憶部１５に記憶するとともに、通信部１６を介して、撮影装置２に送信し（ステップＳ１５）、インターバル撮影設定入力処理を終了する。
【００５７】
図７を参照して、撮影装置２により実行されるインターバル撮影設定処理を説明する。先ず、インターバル撮影設定処理を説明する。インターバル撮影設定処理は、設定情報３０をＰＣ１から受信して記憶する処理である。
【００５８】
撮影装置２において、例えば操作入力部２１０を介してユーザからインターバル撮影設定処理の実行指示が入力されたことをトリガとして、中央制御部２０１は、ＲＯＭから読み出され適宜ＲＡＭに展開したインターバル撮影設定プログラムとＣＰＵとの協働で、インターバル撮影設定処理を実行する。
【００５９】
先ず、中央制御部２０１は、ステップＳ１５に対応して、無線処理部２０３を介して、設定情報３０をＰＣ１から受信する（ステップＳ２１）。そして、中央制御部２０１は、記録媒体制御部２０６により、ステップＳ２１で受信した設定情報３０を記録媒体Ｍに記憶し（ステップＳ２２）、インターバル撮影設定処理を終了する。
【００６０】
次いで、図８を参照して、撮影装置２により実行されるインターバル撮影処理を説明する。インターバル撮影処理は、ハイキングの移動経路上で、撮影位置及び日時に応じた撮影間隔でインターバル撮影を行う処理である。予め、記録媒体Ｍに設定情報３０が記憶された撮影装置２がユーザにより所持され、当該ユーザがハイキングの移動経路上を徒歩により移動しているものとする。
【００６１】
また、撮影装置２は、操作入力部２１０を介するユーザからの操作入力に応じて、手動撮影を行うことが可能であるものとする。但し、手動撮影を行った場合、中央制御部２０１は、ＧＰＳ部２０８から取得する手動撮影での撮影位置（緯度経度、高度）の情報と、計時部２０７から取得する手動撮影での日時情報と、を取得し、手動撮影での撮影位置情報及び日時情報を対応付けて履歴情報としてメモリ２０２に記憶するものとする。
【００６２】
本実施の形態のインターバル撮影は、ユーザが任意に選んだ地点において、撮影装置２を三脚等で所定位置に固定して、ある設定された撮影間隔で、予め設定された所定枚数を定点撮影するものとして説明する。しかし、これに限定されるものではなく、例えば、ユーザが撮影装置２を把持してインターバル撮影を行う構成としてもよい。
【００６３】
撮影装置２において、例えば操作入力部２１０を介してユーザからインターバル撮影処理の実行指示が入力されたことをトリガとして、中央制御部２０１は、ＲＯＭから読み出され適宜ＲＡＭに展開したインターバル撮影プログラムとＣＰＵとの協働で、インターバル撮影処理を実行する。
【００６４】
先ず、中央制御部２０１は、記録媒体Ｍに記憶された設定情報３０の緯度経度情報３１及び高度情報３２を参照し、ＧＰＳ部２０８から現在位置情報（緯度経度、高度）を取得し、取得した現在の位置情報が指定位置付近（緯度経度情報３１及び高度情報３２を含む領域内）にあるか否かを判定する（ステップＳ３１）。ステップＳ３１では、例えば、図５の指定位置を中心とした円の領域内や、図６の指定高度を含む所定範囲（領域）内に現在の位置情報があるか否かが判定される。
【００６５】
指定位置付近にある場合（ステップＳ３１；ＹＥＳ）、中央制御部２０１は、設定情報３０の日時情報３３を参照し、計時部２０７から現在の日時情報を取得し、取得した現在の日時情報が指定日時であるか（又は含まれるか）否かを判定する（ステップＳ３２）。
【００６６】
指定日時である場合（ステップＳ３２；ＹＥＳ）、中央制御部２０１は、メモリ２０２の手動撮影の履歴情報を参照し、ステップＳ３１で取得した指定位置付近（指定位置を含む領域内）で手動撮影がなされたか否かを判定する（ステップＳ３３）。手動撮影がなされていない場合（ステップＳ３３；ＮＯ）、中央制御部２０１は、設定情報３０を参照し、ステップＳ３１，Ｓ３２で取得した指定位置、指定日時に対応する緯度経度情報３１、高度情報３２、日時情報３３に対応するレベル３４を読み出して取得する（ステップＳ３４）。
【００６７】
そして、中央制御部２０１は、ステップＳ３４で取得したレベル３４に対応する撮影間隔を撮像部２０４及び画像データ処理部２０５に設定する（ステップＳ３５）。手動撮影がなされた場合（ステップＳ３３；ＹＥＳ）、手動撮影により被写体の撮り逃しのおそれが無いと推定され、中央制御部２０１は、レベル０に対応する通常の撮影間隔を撮像部２０４及び画像データ処理部２０５に設定する（ステップＳ３６）。なお、指定位置付近にない場合（ステップＳ３１；ＮＯ）、又は指定日時でない場合も（ステップＳ３２；ＮＯ）、ステップＳ３６の処理が実行される。
【００６８】
そして、中央制御部２０１は、撮像部２０４、画像データ処理部２０５、記録媒体制御部２０６を制御し、ステップＳ３５又はＳ３６で設定された撮影間隔でインターバル撮影を行い、撮影したフレーム画像を記録媒体Ｍに記憶する（ステップＳ３７）。
【００６９】
そして、中央制御部２０１は、操作入力部２１０を介するユーザからのインターバル撮影処理の終了指示の入力の有無に応じて、インターバル撮影を終了するか否かを判定する（ステップＳ３８）。インターバル撮影を終了しない場合（ステップＳ３８；ＮＯ）、ステップＳ３１に移行される。インターバル撮影を終了する場合（ステップＳ３８；ＹＥＳ）、インターバル撮影処理が終了する。
【００７０】
以上、本実施の形態によれば、撮影装置２は、撮影間隔を変更可能に被写体を撮影する撮像部２０４、画像データ処理部２０５と、指定された位置情報と撮影間隔のレベルとを対応付けた設定情報３０を記憶する記録媒体Ｍと、現在の位置情報を取得するＧＰＳ部２０８と、前記取得された位置情報が設定情報３０の位置情報を含む領域内であるか否かを判定し、設定情報３０の位置情報を含む領域内であると判定された場合に、設定情報３０の位置情報に対応するレベル３４に設定して撮像部２０４、画像データ処理部２０５に撮影させる中央制御部２０１と、を備える。このため、予め指定された位置を含む領域内で、通常撮影における撮影間隔（レベル０）よりも撮影間隔を短く（レベル１，２，３）することができ、記録媒体や電池を効率的に使用しつつ、予め指定された位置を含む領域内での被写体の撮り逃しの発生確率を低減できる。
【００７１】
また、撮影装置２は、現在の日時情報を取得する計時部２０７を備え、記録媒体Ｍは、指定された位置情報及び日時情報と撮影間隔のレベルとを対応付けた設定情報３０を記憶し、中央制御部２０１は、前記取得された日時情報が前記記憶された日時情報であり、且つ前記取得された位置情報が設定情報３０の位置情報を含む領域内であるか否かを判定する。このため、予め指定された日時に予め指定された位置を含む領域内で、通常撮影における撮影間隔（レベル０）よりも撮影間隔を短く（レベル１，２，３）することができ、記録媒体や電池を効率的に使用しつつ、予め指定された日時の予め指定された位置を含む領域内での被写体の撮り逃しの発生確率を低減できる。
【００７２】
また、位置情報は、緯度経度情報と、高度情報との少なくとも１つを含む。このため、このため、位置情報を多様に指定できるとともに、予め指定された緯度経度、高度の位置を含む領域内で、通常撮影における撮影間隔（レベル０）よりも撮影間隔を短く（レベル１，２，３）することができ、記録媒体や電池を効率的に使用しつつ、当該領域内での被写体の撮り逃しの発生確率を低減できる。
【００７３】
また、中央制御部２０１は、前記記憶された位置情報を含む領域内であると判定された場合に、当該領域内で手動撮影を行ったか否かを判定し、前記領域内で手動撮影を行ったと判定された場合に、通常撮影における撮影間隔に設定して撮像部２０４、画像データ処理部２０５に撮影させる。このため、既に手動撮影で被写体を撮ったと推定される場合に、通常撮影における撮影間隔で撮影して記録媒体や電池を効率的に使用できる（画像の容量及び使用する電源量を低減できる）。
【００７４】
また、記録媒体Ｍは、指定された位置情報と撮影間隔のレベルとを複数対応付けた設定情報３０を記憶し、中央制御部２０１は、ＧＰＳ部２０８で取得された位置情報が前記記憶された位置情報を含む領域内にないと判定された場合に、撮影間隔を当該記憶された位置情報に対応する撮影間隔よりも長く（レベル０）設定して撮像部２０４等に撮影させる。このため、予め指定された位置情報を含む領域内でない場合に、通常撮影における撮影間隔で撮影して記録媒体や電池を効率的に使用できる。
【００７５】
なお、本発明は、上記実施の形態に限定されることなく、本発明の趣旨を逸脱しない範囲において、種々の改良並びに設計の変更を行っても良い。
【００７６】
例えば、上記実施の形態では、ＰＣ１で設定情報３０を作成する構成としたが、これに限定されるものではない。例えば、ＰＣ１がサーバ（図示略）に通信接続され、サーバが設定情報３０を作成する構成としてもよい。より具体的には、サーバが少なくとも１つのＰＣに接続され、各ＰＣが、指定位置、指定日時、レベルの情報の操作入力を受け付けて、サーバに送信する。サーバは、各ＰＣから受信した情報に基づいて、データベースとしての設定情報３０を作成する。ＰＣ１は、設定情報３０をサーバからダウンロードして撮影装置２に送信し記憶させる。このデータベースとしての設定情報３０には、ユーザの移動経路上の観光名所に関する情報や、移動経路上の一部分で変化の少ない景色がしばらく続くとか、移動経路上で季節や日時によっては見所がある、等の付加情報を含む構成としてもよい。
【００７７】
また、上記実施の形態では、設定情報３０の設定装置として、ＰＣ１を用いる構成としたが、これに限定されるものではない。設定情報３０の設定装置として、スマートフォンや、タブレット端末等、他の情報処理装置を用いる構成としてもよいし、撮影装置２自身で設定するようにしてもよい。
【００７８】
また、上記実施の形態では、通常撮影における撮影間隔を示すレベル０が固定されている構成としたが、これに限定されるものではない。例えば、撮影装置２の電池（図示略）の残り容量や、記録媒体Ｍの残り記憶容量が小さい場合に、通常撮影における撮影間隔も長くする構成としてもよい。この構成では、電池の残り容量や、記録媒体Ｍの残り記憶容量を節約できる効果を奏する。
【００７９】
また、上記実施の形態では、撮影装置２がインターバル撮影を行い、その撮影間隔を変更する構成としたが、これに限定されるものではない。例えば、撮影間隔に加えて画質の高低や音声付きか否か等も変更する構成としてもよい。また、撮影装置２が動画撮影や連写撮影を行い、そのＦＰＳ（Frames Per Second）を変更する構成としてもよい。
【００８０】
また、上記動画撮影や連写撮影を行う構成において、撮影装置２の中央制御部２０１が、所定の撮影条件であるか否かを判定し、当該所定の撮影条件である場合に、そうでない撮影条件の場合に比べて、撮影間隔を短く設定する構成としてもよい。前記所定の撮影条件とは、例えば、画質を高める撮影条件や、撮影する画像をこの撮影と並行して取得する音声情報とともに記憶する撮影条件である。この構成によれば、撮影間隔の短縮が好ましい重要な撮影シーンにおいて、画像の変化を滑らかにして再生できる。
【００８１】
加えて、上記実施の形態にあっては、インターバル撮影処理を中央制御部２０１がプログラムにより実行する構成としたが、これに限定されるものではない。撮影装置２が、インターバル撮影処理と同様の処理を行うロジック回路等の専用回路を備える構成としてもよい。
【００８２】
さらに、上記実施の形態の各処理を実行するためのプログラムを格納したコンピュータ読み取り可能な媒体として、ＲＯＭ、ハードディスクを挙げたが、この他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００８３】
また、上記実施の形態における撮影システムの各構成要素の細部構成及び細部動作に関しては、本発明の趣旨を逸脱することのない範囲で適宜変更可能であることは勿論である。
【００８４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮影間隔を変更可能に被写体を撮影する撮影手段と、
指定された位置情報と撮影間隔とを対応付けて記憶する記憶手段と、
現在の位置情報を取得する位置情報取得手段と、
前記取得された位置情報が前記記憶された位置情報を含む領域内にあるか否かを判定する位置情報判定手段と、
前記記憶された位置情報を含む領域内にあると判定された場合に、当該記憶された位置情報に対応する撮影間隔を設定して前記撮影手段に撮影させる撮影制御手段と、を備える撮影装置。
＜請求項２＞
現在の日時情報を取得する日時情報取得手段を備え、
前記記憶手段は、指定された位置情報及び日時情報と撮影間隔とを対応付けて記憶し、
前記位置情報判定手段は、前記取得された日時情報が前記記憶された日時情報であり、且つ前記取得された位置情報が前記記憶された位置情報を含む領域内にあるか否かを判定する請求項１に記載の撮影装置。
＜請求項３＞
前記位置情報は、緯度経度情報と、高度情報との少なくとも１つを含む請求項１又は２に記載の撮影装置。
＜請求項４＞
前記取得された位置情報が前記記憶された位置情報を含む領域内にあると判定された場合に、当該位置情報を含む領域内で手動撮影を行ったか否かを判定する手動撮影判定手段を備え、
前記撮影制御手段は、前記位置情報を含む領域内で手動撮影を行ったと判定された場合に、通常撮影における撮影間隔に設定して前記撮影手段に撮影させる請求項１から３のいずれか一項に記載の撮影装置。
＜請求項５＞
前記記憶手段は、指定された位置情報と、指定された撮影間隔とを対応付けて複数記憶し、
前記撮影制御手段は、前記位置情報取得手段で取得された位置情報が前記記憶された位置情報を含む領域内にないと判定された場合に、撮影間隔を当該記憶された位置情報に対応する撮影間隔よりも長く設定して前記撮影手段に撮影させる請求項１から４のいずれか一項に記載の撮影装置。
＜請求項６＞
指定された位置情報と撮影間隔とを対応付けて記憶する工程と、
現在の位置情報を取得する工程と、
前記取得された位置情報が前記記憶された位置情報を含む領域内にあるか否かを判定する工程と、
前記記憶された位置情報を含む領域内にあると判定された場合に、当該記憶された位置情報に対応する撮影間隔を設定して、被写体を撮影する撮影手段に撮影させる工程と、を含む撮影方法。
＜請求項７＞
コンピュータを、
撮影間隔を変更可能に被写体を撮影する撮影手段、
指定された位置情報と撮影間隔とを対応付けて記憶する記憶手段、
現在の位置情報を取得する位置情報取得手段、
前記取得された位置情報が前記記憶された位置情報を含む領域内にあるか否かを判定する位置情報判定手段、
前記記憶された位置情報を含む領域内にあると判定された場合に、当該記憶された位置情報に対応する撮影間隔を設定して前記撮影手段に撮影させる撮影制御手段、
として機能させるためのプログラム。
【符号の説明】
【００８５】
１００  撮影システム
１  ＰＣ
１１  ＣＰＵ
１２  操作部
１３  ＲＡＭ
１４  表示部
１５  記憶部
１６  通信部
１７  バス
２  撮影装置
２０１  中央制御部
２０２  メモリ
２０３  無線処理部
２０３ａ  ＢＴモジュール
２０４  撮像部
２０４ａ  レンズ部
２０４ｂ  電子撮像部
２０４ｃ  撮像制御部
２０５  画像データ処理部
２０６  記録媒体制御部
Ｍ  記録媒体
２０７  計時部
２０８  ＧＰＳ部
２０９  表示部
２０９ａ  表示パネル
２０９ｂ  表示制御部
２１０  操作入力部
２１１  バスライン
【図１】
2014187518.tif 000003
【図２】
2014187518.tif 000004
【図３】
2014187518.tif 000005
【図４】
2014187518.tif 000006
【図５】
2014187518.tif 000007
【図６】
2014187518.tif 000008
【図７】
2014187518.tif 000009
【図８】
2014187518.tif 000010
【手続補正書】
【提出日】平成26年5月15日(2014.5.15)
【手続補正１】
【補正対象書類名】図面
【補正対象項目名】図６
【補正方法】変更
【補正の内容】
【図６】
2014187518.tif 000011
【手続補正書】
【提出日】平成26年7月31日(2014.7.31)
【手続補正１】
【補正対象書類名】明細書
【補正対象項目名】０００７
【補正方法】変更
【補正の内容】
【０００７】
上記課題を解決するために、本発明の撮影装置は、撮影間隔を変更可能に被写体を撮影する撮影手段と、少なくとも、指定された位置情報と撮影間隔とを対応付けた設定情報が複数セットされ、前記撮影間隔は３種類以上の撮影間隔である設定情報テーブルと、前記設定情報テーブルを記憶する記憶手段と、現在の位置情報を取得する位置情報取得手段と、前記取得された位置情報が前記記憶手段に記憶された前記設定情報テーブルの前記位置情報を含む領域内にあるか否かを判定する位置情報判定手段と、前記記憶手段に記憶された前記設定情報テーブルの前記位置情報を含む領域内にあると判定された場合に、前記記憶手段に記憶された前記設定情報テーブルの当該位置情報に対応する撮影間隔を設定して前記撮影手段に撮影させる撮影制御手段と、を備える。
【手続補正２】
【補正対象書類名】特許請求の範囲
【補正対象項目名】全文
【補正方法】変更
【補正の内容】
【特許請求の範囲】
【請求項１】
撮影間隔を変更可能に被写体を撮影する撮影手段と、
少なくとも、指定された位置情報と撮影間隔とを対応付けた設定情報が複数セットされ、前記撮影間隔は３種類以上の撮影間隔である設定情報テーブルと、
前記設定情報テーブルを記憶する記憶手段と、
現在の位置情報を取得する位置情報取得手段と、
前記取得された位置情報が前記記憶手段に記憶された前記設定情報テーブルの前記位置情報を含む領域内にあるか否かを判定する位置情報判定手段と、
前記記憶手段に記憶された前記設定情報テーブルの前記位置情報を含む領域内にあると判定された場合に、前記記憶手段に記憶された前記設定情報テーブルの当該位置情報に対応する撮影間隔を設定して前記撮影手段に撮影させる撮影制御手段と、を備える撮影装置。
【請求項２】
前記設定情報テーブルは、更に、日時情報を含み、
現在の日時情報を取得する日時情報取得手段を備え、
前記位置情報判定手段は、前記取得された日時情報が前記記憶手段に記憶された前記設定情報テーブルの前記日時情報であり、且つ前記取得された位置情報が前記記憶手段に記憶された前記設定情報テーブルの前記位置情報を含む領域内にあるか否かを判定する請求項１に記載の撮影装置。
【請求項３】
前記位置情報は、緯度経度情報を含む請求項１又は２に記載の撮影装置。
【請求項４】
前記位置情報は、高度情報を含む請求項１から３のいずれか一項に記載の撮影装置。
【請求項５】
前記取得された位置情報が前記記憶手段に記憶された前記設定情報テーブルの前記位置情報を含む領域内にあると判定された場合に、当該位置情報を含む領域内で手動撮影を行ったか否かを判定する手動撮影判定手段を備え、
前記撮影制御手段は、前記位置情報を含む領域内で手動撮影を行ったと判定された場合に、通常撮影における撮影間隔に設定して前記撮影手段に撮影させる請求項１から４のいずれか一項に記載の撮影装置。
【請求項６】
前記撮影制御手段は、前記位置情報取得手段で取得された位置情報が前記記憶手段に記憶された前記設定情報テーブルの前記位置情報を含む領域内にないと判定された場合に、撮影間隔を前記記憶手段に記憶された前記設定情報テーブルの前記位置情報に対応する撮影間隔よりも長く設定して前記撮影手段に撮影させる請求項１から５のいずれか一項に記載の撮影装置。
【請求項７】
少なくとも、指定された位置情報と撮影間隔とを対応付けた設定情報が複数セットされ、前記撮影間隔は３種類以上の撮影間隔である設定情報テーブルを備えた撮影装置の撮影方法であって、
前記設定情報テーブルを記憶する工程と、
現在の位置情報を取得する工程と、
前記取得された位置情報が前記記憶された前記設定情報テーブルの前記位置情報を含む領域内にあるか否かを判定する工程と、
前記記憶された前記設定情報テーブルの前記位置情報を含む領域内にあると判定された場合に、記憶された前記設定情報テーブルの当該位置情報に対応する撮影間隔を設定して、被写体を撮影する撮影手段に撮影させる工程と、を含む撮影方法。
【請求項８】
少なくとも、指定された位置情報と撮影間隔とを対応付けた設定情報が複数セットされ、前記撮影間隔は３種類以上の撮影間隔である設定情報テーブルを備えた撮影装置のコンピュータを、
撮影間隔を変更可能に被写体を撮影する撮影手段、
前記設定情報テーブルを記憶する記憶手段、
現在の位置情報を取得する位置情報取得手段、
前記取得された位置情報が前記記憶手段に記憶された前記設定情報テーブルの前記位置情報を含む領域内にあるか否かを判定する位置情報判定手段、
前記記憶手段に記憶された前記設定情報テーブルの前記位置情報を含む領域内にあると判定された場合に、前記記憶手段に記憶された前記設定情報テーブルの当該位置情報に対応する撮影間隔を設定して前記撮影手段に撮影させる撮影制御手段、
として機能させるためのプログラム。